(57)【要約】【課題】種類の異なる自動車用内装品に適用することができ、しかも自動車用内装品の取り付け作業を簡単に行うことが可能な自動車用内装品の支持装置を提供する。【解決手段】自動車用内装品の支持装置１を荷室の内壁Ｗにあてがい、皿ビスタイプの雄ネジ３１をネジ挿通穴５に挿通して、複数の雌ネジＷａに螺合する。これにより自動車用内装品の支持装置１を荷室の内壁Ｗに固定する。次いで、連結部品１３のアリミゾ１７ｂにパイプ１９のアリガタ１９ａを嵌める。そして、雄ネジ１５を締め付けて、半体１３ａと半体１３ｂとを連結する。これにより、アリミゾ１７ａの内面と自動車用内装品の支持装置１のアリガタ９とが圧接し、また、アリミゾ１７ｂの内面とパイプ１９のアリガタ１９ａとが圧接して、パイプ１９が連結部品１３を介して自動車用内装品の支持装置１に固定される。【選択図】        図２
2014040175.tif 000002
【特許請求の範囲】
【請求項１】
自動車の内壁等の被固定部に固定される本体部と、前記本体部に形成され雄ネジを挿通するネジ挿通穴と、前記本体部に形成されたアリガタの一方側を有し、前記本体部のアリガタに、自動車用内装品を構成する内装品構成部材に形成されたアリミゾが嵌り、前記内装品構成部材と連結されることを特徴とする自動車用内装品の支持装置。
【請求項２】
請求項１に記載した自動車用内装品の支持装置において、本体部は裏面が平坦な平板部と、前記平板部の表面側に形成されたアリガタとから構成されていることを特徴とする自動車用内装品の支持装置。
【請求項３】
請求項２に記載した自動車用内装品の支持装置において、平板部とアリガタとの間に設けられ、幅寸法が前記平板部より大きく、且つ長手方向へ延びるガイド部とを具備することを特徴とする自動車用内装品の支持装置。
【発明の詳細な説明】
【技術分野】
【０００１】
本発明は自動車用内装品の支持装置に係り、特に個々のユーザーが、各々の使用目的に合わせて装備する自動車用内装品を荷室等の内壁に固定するための自動車用内装品の支持装置に関するものである。
【背景技術】
【０００２】
自動車の荷室等に個々のユーザーの使用目的に合わせて自動車用内装品を装備することがある。自動車は走行時においてかなり振動するため、自動車用内装品を強固に固定しなければならず、例えば特許文献１の自動車用内装品の支持装置が用いられる。この自動車用内装品の支持装置は荷室等の内壁にネジ止めされ、トノカバー等の自動車用内装品を支持する。
【先行技術文献】
【特許文献】
【０００３】
【特許文献１】特開２００４−３２２６９９号公報
【発明の概要】
【発明が解決しようとする課題】
【０００４】
しかしながら、上記従来の自動車用内装品の支持装置はトノカバー等の限られた内装品を支持する、いわば専用品であり、多種類の自動車用内装品に適用することができないという問題がある。
また、荷室等の内壁に固定した自動車用内装品の支持装置に対して、自動車用内装品を取り付ける方法としては、ネジ止め、締結具により固定等、多種、多様であり、自動車用内装品の支持装置に対する自動車用内装品の取り付け作業も煩雑であるという不都合もある。
本発明は上記従来の問題点に着目して為されたものであり、種類の異なる自動車用内装品に適用することができ、しかも自動車用内装品の取り付け作業を簡単に行うことが可能な自動車用内装品の支持装置の提供を、その目的とする。
【課題を解決するための手段】
【０００５】
本発明は上記課題を解決するためになされたものであり、請求項１の発明は、自動車の内壁等の被固定部に固定される本体部と、前記本体部に形成され雄ネジを挿通するネジ挿通穴と、前記本体部に形成されたアリガタの一方側を有し、前記本体部のアリガタに、自動車用内装品を構成する内装品構成部材に形成されたアリミゾが嵌り、前記内装品構成部材と連結されることを特徴とする自動車用内装品の支持装置である。
【０００６】
請求項２の発明は、請求項１に記載した自動車用内装品の支持装置において、本体部は裏面が平坦な平板部と、前記平板部の表面側に形成されたアリガタとから構成されていることを特徴とする自動車用内装品の支持装置である。
【０００７】
請求項３の発明は、請求項２に記載した自動車用内装品の支持装置において、平板部とアリガタとの間に設けられ、幅寸法が前記平板部より大きく、且つ長手方向へ延びるガイド部とを具備することを特徴とする自動車用内装品の支持装置である。
【発明の効果】
【０００８】
本発明の自動車用内装品の支持装置によれば、種類の異なる自動車用内装品に適用することができる。また、自動車用内装品の取り付け作業を簡単に行うことが可能となる。
【図面の簡単な説明】
【０００９】
【図１】本発明の実施の形態に係る自動車用内装品の支持装置を用いた工具ハンガーを装備したワンボックスタイプの自動車の斜視図である。
【図２】図１の自動車に装備された工具ハンガーを構成する自動車用内装品の支持装置と、これに連結される部品の分解斜視図である。
【図３】図１の自動車に装備された工具ハンガーを構成する自動車用内装品の支持装置と、これに連結された部品の側面図である。
【図４】図１の自動車に装備された工具ハンガーの斜視図である。
【発明を実施するための形態】
【００１０】
本発明の実施の形態に係る自動車用内装品の支持装置１、この支持装置１に支持される工具ハンガー２を図面にしたがって説明する。
符号３はアルミニウム合金製の本体部を示し、この本体部３は長さ寸法が７００ｍｍ、幅寸法が１４ｍｍ、厚さ寸法が約７ｍｍの細長の形状に形成されている。
また、例えば１５０ｍｍの間隔を開けてネジ挿通穴５が形成され、このネジ挿通穴５は皿ビスがぴったり収容できる擂鉢状を為している。
【００１１】
本体部３は平板部７、アリガタ９及びガイド部１１が一体に形成され構成されている。平板部７は裏面が平坦に形成され、平板部７の表面側にアリガタ９が形成されている。アリガタ９の表面は湾曲面となっており、本体部３の長手方向へ延びている。またガイド部１１の幅寸法は平板部７の幅寸法より大きく、且つアリガタ９と同様に本体部３の長手方向へ延びている。
【００１２】
符号１３はアルミニウム合金製のブロック状の連結部品を示し、この連結部品１３は２つの半体１３ａ、１３ｂ、これらの半体１３ａ、１３ｂを連結固定する雄ネジ１５とから構成されている。半体１３ａ、１３ｂの両側面には、半体１３ａと半体１３ｂとが合わさってアリミゾ１７ａ、１７ｂが形成されるようになっている。
【００１３】
符号１９はアルミニウム合金製のパイプを示し、このパイプ１９の外周面には４つのアリガタ１９ａが形成されている。また、パイプ１９には３つの雌ネジ１９ｂが形成され、この雌ネジ１９ｂはある程度の荷重に耐えられるように補強されている。
符号２１はフックを示し、このフック２１はパイプ１９の雌ネジ１９ｂに螺合する雄ネジ２１ａが形成されている。
【００１４】
図４において符号２３は湾曲パイプを示し、この湾曲パイプ２３はパイプ２５をパイプ１９に対し直角に連結することができる。また、パイプ２５の下端部には突出寸法の調節が可能な脚部２７が取り付けられている。
連結部品１３、パイプ１９、フック２１、湾曲パイプ２３、パイプ２５、脚部２７は内装品構成部材を構成している。
【００１５】
次に、この自動車用内装品の支持装置１を用いて自動車Ｃに自動車用内装品としての工具ハンガー２を製作する方法を説明する。
自動車Ｃはいわゆるワンボックスタイプで、荷室の内壁Ｗに複数の雌ネジＷａが備えられている。
連結部品１３の雄ネジ１５を緩めて、半体１３ａと半体１３ｂとを離間させた状態でアリミゾ１７ａを、自動車用内装品の支持装置１のアリガタ９に嵌める。そして、雄ネジ１５を軽く締めておく。
【００１６】
次に、自動車用内装品の支持装置１を荷室の内壁Ｗにあてがい、皿ビスタイプの雄ネジ３１をネジ挿通穴５に挿通して、複数の雌ネジＷａに螺合する。これにより自動車用内装品の支持装置１を荷室の内壁Ｗに固定する。そして、連結部品１３を自動車用内装品の支持装置１に沿ってスライドさせ、所望の位置に備える。このとき、連結部品１３はガイド部１１に摺接するので、所望の位置まで移動させることができる。
【００１７】
次いで、連結部品１３のアリミゾ１７ｂにパイプ１９のアリガタ１９ａを嵌める。そして、雄ネジ１５を締め付けて、半体１３ａと半体１３ｂとを連結する。これにより、アリミゾ１７ａの内面と自動車用内装品の支持装置１のアリガタ９とが圧接し、また、アリミゾ１７ｂの内面とパイプ１９のアリガタ１９ａとが圧接して、パイプ１９が連結部品１３を介して自動車用内装品の支持装置１に固定される。
【００１８】
そして、パイプ１９の両端に湾曲パイプ２３を介してパイプ２５を取り付ける。次いで、パイプ２５の下端に取り付けた脚部２７の突出寸法を調節して、脚部２７を荷室の床面Ｆに圧接させる。
パイプ１９の雌ネジ１９ｂにフック２１の雄ネジ２１ａを螺合させて、フック２１をパイプ１９に取り付けて、工具ハンガー２を完成させる。
このように、工具ハンガー２を簡単に製作することが可能である。
工具ハンガー２は、フック２１に工具Ｋを掛けて使用する。
【００１９】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、自動車用の内装品として工具ハンガーを示したが、本発明はこれに限定されず、ベッド、テーブル、棚、オートバイ等を搭載するための保持装置等、如何なるものであってもよい。
また、自動車用内装品の支持装置の幅寸法、長さ寸法、厚さ寸法及びネジ挿通穴の数、配置間隔等は自動車用の内装品の種類等に適宜変更してよいのは勿論である。更に、自動車用内装品の支持装置の構成材料は上記したアルミニウム合金に限らず、ステンレススチール等の他の金属やプラスチック等によって構成してもよい。
【産業上の利用可能性】
【００２０】
本発明は自動車用内装品の支持装置製造業等に利用可能性を有する。
【符号の説明】
【００２１】
１…自動車用内装品の支持装置    ２…工具ハンガー      ３…本体部
５…ネジ挿通穴    ７…平板部      ９…アリガタ      １１…ガイド部
１３…連結部品    １５…雄ネジ      １７ａ、１７ｂ…アリミゾ
１９…パイプ      １９ａ…アリガタ      １９ｂ…雌ネジ    ２１…フック
２１ａ…雄ネジ      ２３…湾曲パイプ    ２５…パイプ      ２７…脚部
３１…雄ネジ    Ｃ…自動車      Ｗ…荷室の内壁
Ｗａ…自動車の荷室の内壁の雌ネジ    Ｆ…荷室の床面      Ｋ…工具
【図１】
2014040175.tif 000003
【図２】
2014040175.tif 000004
【図３】
2014040175.tif 000005
【図４】
2014040175.tif 000006